(57)【要約】【課題】修理等を行い易くして槽への組込性等を改善する。【解決手段】槽底面に固定される排水口部材１１に対し栓１２を昇降ユニット３０を介し支持する排水機構体５、槽上側に固定される釦ケース４０に対し操作釦１４をスイッチユニット６０を介し支持する操作機構体６、機構体５と６の間に介在された管内に配されてユニット３０，６０を接続するワイヤ８とからなる排水栓装置１０において、操作機構体６は管７の対応端と接続されるプラグケース４５と、下開口４４を形成してプラグケース４５に連結される釦ケース４０と、ユニット６０を支持して釦ケース内へ挿入されると一部が開口４４よりケース４５側へ配置されるホルダー５０とを備え、ホルダー５０が釦ケース開口４４からケース４５内に全体を挿入可能に形成されかつ上外周囲に設けられて釦ケース開口に一部を挿入した状態で所定角回転することで該釦ケースに対し係合固定される取付部５６を有している。【選択図】    図８
2004316161.tif 000002
【特許請求の範囲】
【請求項１】
水槽底面に固定される排水口部材に対し栓を昇降ユニットを介し支持する排水機構体と、水槽上側に固定される釦ケースに対し操作釦をスイッチユニットを介し支持する操作機構体と、前記排水機構体及び操作機構体の間に介在された連結管内に配されて前記昇降ユニットとスイッチユニットとを接続するレリースワイヤとからなり、前記操作機構体の動作力を前記レリースワイヤを介し前記排水機構体に伝えて前記栓の開閉を切り換える排水栓装置において、
前記操作機構体は、前記連結管の対応端と接続されるプラグケースと、下端面側に開口を形成して前記プラグケースに連結される前記釦ケースと、前記スイッチユニットを支持して前記釦ケース内へ挿入されると一部が前記開口より前記プラグケース側へ配置されるホルダーとを備え、
前記ホルダーが、前記釦ケースの開口から前記プラグケース内に全体を挿入可能に形成され、かつ、上外周囲に設けられて前記釦ケースの開口に下ホルダー部分を挿入した状態で所定角回転することにより当該釦ケースに対し係合固定される取付部を有していることを特徴とする排水栓装置。
【請求項２】
前記取付部が前記釦ケースの開口縁部を挟み込む断面略コ形のガイド部を有していると共に、前記ガイド部と前記釦ケースの端面とが互いに係脱する凸部及び凹部の係合を介して固定される請求項１に記載の排水栓装置。
【請求項３】
前記排水機構体は、前記連結管の対応端側と接続されるプラグケースと、前記プラグケースに連結される前記排水口部材と、前記昇降ユニットを支持した状態で前記排水口部材に挿入されるリテーナとを備え、
前記リテーナが、外周部分に上向きに設けられて、前記排水口部材内へ挿入することにより当該排水口部材側に設けられた被係合部に対し係合固定される弾性係止片を有している請求項１又は２に記載の排水栓装置。
【請求項４】
前記リテーナが、前記昇降ユニットを径方向より内側に挿入し、かつ、当該昇降ユニット外周を拘束した状態で抜け止め可能にする第１部材及び第２部材からなる請求項３に記載の排水栓装置。
【発明の詳細な説明】
【０００１】
【発明の属する技術分野】
本発明は、洗面器や浴槽等に設けられる排水栓装置のうち、特に、栓が操作釦の押圧によりレリーズワイヤ（以下、ワイヤと略称する）等を介し開閉される遠隔操作式の排水栓装置に関するものである。
【０００２】
【従来の技術】
遠隔操作式の排水栓装置は、下記特許文献１や２等に例示されるごとく広く知られている。図１３は装置構造例として文献１のものを示している。図中、符号８０が浴槽等の水槽、符号８１が槽底面側、符号８２が上面側である。符号８３は開閉用栓、符号８４は操作釦である。そして、この排水栓装置では、水槽底面８１に設けられた排水機構体８５と、水槽上面８２に設けられた操作機構体９０と、排水機構体８５と操作機構体９０との間に介在された連結管９５と、連結管９５内に配置されて排水機構体８５と操作機構体９０とを接続しているワイヤ９６とを備え、操作機構体９０を構成している操作釦８４の動作力をワイヤ９６を介して排水機構体８５に伝達して栓８３の開閉を切り換える。
【０００３】
ここで、ワイヤ９６はチューブで被覆され、チューブ内を摺動可能となっている。排水機構体８５は、水槽底面８１の排水口に固定される排水口部材８６と、排水口部材８６及び連結管９５の対応端に連結されるプラグケース８７と、ワイヤ９６の対応端側と栓８３とを作動連結するシフト機構と称される昇降ユニット８８等からなる。昇降ユニット８８は、通常、ワイヤ９６の対応端に予め装着される。槽組込作業において、プラグケース８７は、横向きの管部を有し、該管部が連結管９５の対応端に結合される。排水口部材８６とプラグケース８７とは、水槽底面８１を挟んで又シール材Ｓを介在した状態で螺合結合される。昇降ユニット８８は、ワイヤ９６と共に連結管９５及び排水口部材８６を通して槽上側へ突出される。その後、昇降ユニット８８は、リテーナ８９を介し排水口部材８６内に固定され、又、栓８３の下部側と連結操作される。
【０００４】
操作機構体９０は、水槽上面（上側面の態様もある）８２に固定される釦ケース９１と、スイッチユニット（スラストロック機構等を内蔵したユニット）９２と、該スイッチユニット９２を収容するプラグケース９３等からなる。なお、図１３の形態では釦ケース９１及びプラグケース９３が一体物となっている。但し、通常は、ナット９４等による締め付け方式だと、作業性が悪くなったり締め付け力が過剰になり易いため螺合される釦ケースとプラグケースで構成される（文献２を参照）。また、スイッチユニット９２はワイヤ９６のもう一方の対応端に予め装着される。槽組込作業において、図１３の形態では、釦ケース９１及びプラグケース９３が槽に開口された取付孔より挿入されてガイド及びナット９４等により締め付けられて槽に固定される。後者の形態ではプラグケースの対応部が連結管に結合された後、釦ケースとプラグケースとが水槽対応部を挟んで螺合結合される。そして、スイッチユニット９２は、ワイヤ９６を排水機構体８５側まで挿入移動した後、釦ケース９１内に固定される。操作釦８４はスイッチユニット９２に予め装着したり後付けされる。
【０００５】
【特許文献１】
特開平１１−９９０７７号公報（第３〜４頁、図１〜図６）
【特許文献２】
特開平９−６００７３号公報（第２〜４頁、図１〜図８）
【０００６】
【発明が解決しようとする課題】
以上の排水栓装置は、例えば、文献２等に開示のごとく操作機構体側において、スイッチユニットを上から下への押し込め操作により釦ケースに係合固定したり、排水機構体側において、昇降ユニットを支持したリテーナを押し込め操作により排水口部材に係合固定できるようして槽への組込性を良好にしているが、次のような観点から未だ満足できない。
（１）、従来装置では、図１３から推察されるごとく、各部材が一旦組み付けられると、保守や修理及び分解等において、スイッチユニット９２や昇降ユニット（リテーナ）８８，８９を係合力に抗して強制的に引き抜くと、各部を損傷したり再使用不能になり易い。また、装置構造としては、例えば、操作機構体又は排水機構体側の一方だけを修理する場合であっても、スイッチユニット及び昇降ユニット（リテーナ）の両方を対応プラグケースから外さなければならなくなったり、長いワイヤを一方側から外へ引き出し、修理した後に再び一方から他方側へ通さなければならない。
（２）、槽組込性からは、構成部材をできるだけ多く水槽側へ組み付けたり仮連結した状態で設置部へ搬送して現場作業を極力少なくしている。ところが、現場作業では煩雑となったり熟練も要求される。これは、作業空間が限られているだけではなく、例えば、操作機構体を組み込んだ状態で昇降ユニットを排水口部材に組み込む作業において、ワイヤ対応端（通常はここに昇降ユニットを既に装着している）を排水口部材内より若干引き出した状態から、該昇降ユニットをリテーナを介し排水口部材に装着するとき、ワイヤ対応端（昇降ユニット）の引出量に制約される等に起因している。
【０００７】
本発明は以上のような課題を解消するものである。その目的は、特に、槽への組込手順の自由度を得られるようにして組込操作性を改善したり、保守や修理等を行い易くしてメンテナンス性を向上することにある。他の目的は以下の内容説明の中で明らかにする。
【０００８】
【課題を解決するための手段】
上記目的を達成するため本発明の排水栓装置は、図面の例で特定すると、水槽１底面に固定される排水口部材１１に対し栓１２を昇降ユニット３０を介し支持する排水機構体５と、水槽上側に固定される釦ケース４０に対し操作釦１４をスイッチユニット６０を介し支持する操作機構体６と、前記排水機構体５及び操作機構体６の間に介在された連結管７内に配されて前記昇降ユニット３０とスイッチユニット６０とを接続するレリースワイヤ８とからなり、前記操作機構体６の動作力を前記レリースワイヤ８を介し前記排水機構体５に伝えて前記栓１２の開閉を切り換える排水栓装置１０において、前記操作機構体６は、前記連結管７の対応端と接続されるプラグケース４５と、下端面に開口４４を形成して前記プラグケース４５に連結される前記釦ケース４０と、前記スイッチユニット６０を支持して前記釦ケース内へ挿入されると一部が前記開口４４より前記プラグケース側へ配置されるホルダー５０とを備え、前記ホルダー５０が、前記釦ケース４０の開口４４から前記プラグケース４５内に全体を挿入可能に形成され、かつ、上外周囲に設けられて前記釦ケース４０の開口に一部を挿入した状態で所定角回転することにより当該釦ケースに対し係合固定される取付部５６を有していることを特徴としている。
【０００９】
（工夫点等）以上の発明は、釦ケースに対しスイッチユニットを係合固定したり、排水栓部材に対し昇降ユニットを係合固定する構造を対象とし、請求項１と２では釦ケースとスイッチユニットとの関係を工夫することにより、請求項３と４とでは昇降ユニットと排水口部材との関係及びリテーナと昇降ユニットとの関係を工夫することにより、各係合固定力を増大する場合にも、ワンタッチ操作により係合及び離脱可能にして、槽組込性を維持しながら再組込、保守や修理、更には解体性を良好に行えるようにしたものである。即ち、主改良点は次の通りである。
・請求項１では、例えば、図７（ａ）のごとくスイッチユニットをホルダーで支持し、又、対応プラグケース内に収容した状態で、該プラグケースに対し釦ケースを連結した後、前記ホルダーを引き上げて釦ケースに対し取り付けることができる。また、この取付構造は、前記ホルダーを回転し取付部を釦ケース対応部に係合固定するため操作性も維持できる。
・請求項２では、前記係合固定構造がガイド溝と釦ケース側開口縁部との挟持、及び凸部と凹部との係合である。このため、この構成では、部材数を増やすことなく簡易であり、固定力を充分付与し易く、しかもホルダーの着脱操作性を良好に行えるようにする。
・これに対し、請求項３は、昇降ユニットを排水口部材に対しリテーナを介して支持する構造を対象とし、排水口部材に対しリテーナを被係合部と弾性係止片との係合を介して固定すること、弾性係止片を排水口部材内で上向きに配置したことにより、例えば、修理等においては栓を外した後、弾性係止片の上端側を利用して係合解除できる。
・請求項４は、リテーナが、昇降ユニット外周を第１部材及び第２部材の間から横又は径方向より挿入した後、両部材を筒状にして昇降ユニットを支持するため、例えば、各機構体の修理等において、昇降ユニットをリテーナと共に排水口部材より引き上げる量を抑えて、昇降ユニットをリテーナから着脱することができる。
【００１０】
【発明の実施の形態】
本発明の排水栓装置例について図面を参照して詳述する。図１は排水栓装置の水槽への適用例を模式的に示す説明図である。図２〜図６は排水栓装置の排水機構体側を示し、図７〜図１２は排水栓装置の操作機構体側を示している。以下の説明では、装置全体の概要について述べ、その後、排水機構体と操作機構体の構成を細部作動と共に説明し、最後に槽側への組込手順等に言及する。
【００１１】
（概要）図１において、符号１は浴槽等の水槽であり、符号２は水槽１の底面側を示し、符号４は水槽の上面側を示している。そして、本発明の排水栓装置１０は、排水口３に設けられる排水機構体５と、水槽上面４の操作し易い箇所に設けられて排水機構体５を遠隔操作する操作機構体６と、排水機構体５と操作機構体６との間を金具等を用いて連結している連結管７と、連結管７内に配置されてチューブ９で被覆されたワイヤ８等を備えている。なお、操作機構体６は、水槽上側の側面等に設置されることもある。ワイヤ８は、チューブ９内を摺動自在に挿通され、一端側が排水機構体５の栓１２に図３の昇降ユニット３０を介し連結され、他端側が操作機構体６の操作釦１４に図１０のスイッチユニット６０を介し連結されている。そして、作動は、操作釦１４を押圧すると、該操作釦１４の下動に連動してワイヤ８がチューブ９内を摺動し、該摺動により栓１２もワイヤ８と一体に動き栓１２を開状態にてロックし、もう一回押圧されると、該ロックが解除されて操作釦１４が元の位置つまり上方へ動き、操作釦１４を再び押圧すると、該操作釦１４の下動に連動して栓１２を閉状態に切り換える。これらは従来と同様である。本発明要部は排水機構体５及び操作機構体６にある。
【００１２】
（排水機構体）図２は図１の排水機構体５であり、同（ａ）は栓閉状態を示す図、（ｂ）は栓開状態（一部模式化している）を示す図である。図３は排水機構体５の部材関係を示す概略的な構成図である。図４は排水機構体５の要部であり、同（ａ）はリテーナ及び昇降ユニットの断面図、同（ｂ）は排水口部材を半分割した図である。図５及び図６はリテーナを示し、図５（ａ）はリテーナの上面図、同（ｂ）は本体及び抜止部材の上面図、図６（ａ）はリテーナの概略斜視図、同（ｂ）は抜止部材を天地逆転した概略図である。
形態例の排水機構体５は、槽底面側の排水口３に装着されるプラグケース１５及び排水口部材１１と、排水口部材１１に組み込まれるリテーナ２０と、リテーナ２０に拘束支持される昇降ユニット３０等を備え、排水口部材１１の上開口に対し栓１２の開閉をワイヤ８及び昇降ユニット３０を介して切り換える。
【００１３】
ここで、プラグケース１５は、上下に貫通している排水路用の管部１５Ａと、該管部１５Ａの下横向きに接続されている管部１５Ｂとからなる。管部１５Ａは、水槽１の排水口３に略対応した大きさで、内周に設けられた雌ねじ１５ｂと、上外周に設けられた突き当て用フランジ部１５ａとを有し、雌ねじ１５ｂが排水口部材１１との連結用であり、フランジ部１５ａが槽底面外側に対しシール材Ｓ２を介し安定当接可能にする。管部１５Ｂは、前記操作機構体６と対応する向きに突出され、連結管７の対応端と結合されて、連結管７内よりワイヤ８を内挿しているチューブ９の対応端を管路１５Ａ及び排水口部材１１内より槽上方へ導出する。
【００１４】
排水口部材１１は、図４のごとく上下に貫通した筒状に形成され、上端部分に設けられた鍔状フランジ部１１ａと、外周面に設けられた雄ねじ１１ｂと、下端側の内周面に設けられてリテーナ２０を取り付ける被係合部１１ｃとを有している。被係合部１１ｃは、円鍔状に張り出した状態に形成されている。
【００１５】
以上の排水口部材１１には、昇降ユニット３０がリテーナ２０を介して組み込まれる。このうち、昇降ユニット（リフト機構）３０は、リテーナ２０を介して排水口部材１１の内側に位置決め固定されて、栓１２をワイヤ８の可動に連動して開閉可能にする。この例では、昇降ユニット３０が図４のごとく、中心側の筒部材３１と、該筒部材３１に上下摺動可能に組み付けられた可動筒３２と、下側より筒部材３１に嵌合されかつ可動筒３２と係合して一体に摺動されるストッパ３３等を備えている。細部は、図面上一部省略したが、次のような構成である。
【００１６】
筒部材３１は、筒内が上側の大径孔３１ａと下側の小径孔（符号省略）になっており、上端縁が外側に張り出した規制部３４を形成し、外周が下周囲に設けた溝部３５ａで区画された突状部３５を有している。溝部３５ａは下端側近くに周回した溝である。突状部３５はリテーナ用の係止部である。そして、前記小径孔にはワイヤ８を挿通しているチューブ９の対応端が装着固定されている。この固定構造は圧着や溶着等であり、又、実際にはチューブ９を金型内にインサートし筒部材３１を成形することにより、物理的かつ溶着により固定している。ワイヤ８の対応端は、チュープ９より大径孔３１ａを通って更に上へ突出されている。該端末には取付具３７が装着されている。
【００１７】
可動筒３２は、筒内にあって上端面より下設された保持用小筒部３８と、筒外周囲にあって略中間部に設けられた上下の爪部３２ａ，３２ｂとを有している。小筒部３８は、半筒状に形成されて、ワイヤ８の取付具３７を装着する。爪部３２ａは、栓１２の連結脚１２ａを係止することにより栓１２を可動筒３２に装着する。爪部３２ｂはストッパ３３を装着可能にする。このストッパ３３は、可動筒３２の下開口を塞ぐことにより、取付時やメンテナンスのための取り外し時、又は、掃除等のために昇降具３０が引き出されるときに、可動筒３２と取付具３７との嵌合部の外れや、取付具３７とワイヤ８とのカシメ部の抜けを防ぐものである。形状は、概略キャップ状であり、端面に設けられた下孔と、周囲に設けられて前記爪部３２ｂと係合する横孔とを有している。そして、このストッパ３３は、図４のごとく筒部材３１を下孔から串差し状に配置し、前記横孔と爪部３２との係合により可動筒３２に連結される。このため、ストッパ３３及び可動筒３２並びに取付具３７は、ワイヤ８の可動に伴って一体として摺動される。また、この摺動範囲は、図２より推察されるごとく、栓１２の開位置と閉位置に対応しており、ストッパ３３の端面がリテーナ２０の対応部と当たる最下位置から、ストッパ３３の端面（筒下端面）が前記筒部材３１の上側規制部３４と当たる最上位置まである。
【００１８】
リテーナ２０は樹脂製であり、図５と図６のごとく、発明の第１部材及び第２部材に相当する本体２１及び抜止部材２６から構成され、全体が略円盤状になり、該円盤状態で排水口部材１１の筒内へほぼ隙間なく挿入される。ここで、本体２１は、外筒部２２及び内筒部２３と、外筒部２２及び内筒部２３の一部を欠如した開口部２４と、外筒部２２の一部に設けられた弾性係止片２５と、内筒部２３の内端面に設けられた溝部２３ａとを有している。外筒部２２及び内筒部２３は、複数（４本）のアーム２１ａで連結されており、アーム２１ａ同士の間の隙間が排水経路となっている。外筒部２２には、複数（２本）の弾性係止片２５が周囲を等分する箇所にスリット２２ａを介し区画成形されている。各弾性係止片２５は、両側が上下に延びるスリット２２ａで区画され、下側を支点として揺動されると共に、外面に爪部２５ａを突出している。設計上は、下側から爪部２５ａまでが係合力に寄与し、爪部２５ａから上側つまり自由端側が係合解除操作用として利用されるよう設定されている。また、内筒部２３は、内径が上記筒部材３１の外径に対応している。溝部２３ａは、上記突状部３５と係合することにより、筒部材３１に対する固定力を増大可能にする。開口部２４は、外筒部２２及び内筒部２３の一部を抜止部材２６に対応して切り欠いたもので、筒部材３１が径方向から余裕を持って配置可能となっている。この開口部２４は溝部２３ａの対応部も含む。開口部２４の周りには、開口部２４の一方側に位置して、外筒部３１側の手前に形成された略コ形の空間部２４ａと、空間部２４ａを区画している上下面寄りに対向して形成された対の軸部２４ｂと、開口部２４の他方側に位置して、下側を欠肉した嵌合段差２４ｃとが設けられている。
【００１９】
抜止部材２６は、開口部２４に収まって本体２１と共にリテーナ２０を形成する。形状的には、外周部２７及び内周部２８がそれぞれ円弧状をなし、外周部２７と内周部２８との内側を欠如した排水通路と、外周部２７の片側上下に設けられた片部２７ａと、各片部２７ａに設けられた軸孔２７ｂと、外周部２７のうち片部２７ａと反対側の片側に設けられて前記段差２４ｃと嵌合可能な段差２７ｃと、内周部２８に設けられて溝部２３ａと連続可能な溝部２８ａとを有している。そして、以上の抜止部材２６は、本体２１に対し開口部２４内に配置され、軸部２４ｂを軸孔２７ｂに係合することにより図５の想像線位置から、実線位置まで回動可能に取り付けられる。想像線位置では、昇降ユニット３０の筒部材３１を本体内筒部２３の内側へ遊挿可能である。実線位置では、図４のごとく筒部材３１が本体内筒部２３及び抜止部材２６の内周部２８で全周を拘束される。この拘束状態では、筒部材３１が径方向及び上下方向への可動が不能となり、突状部３５と溝部２３ａ及び溝部２８ａとの係合により昇降ユニット３０の径方向及び上下方向への規制力が増大される。なお、以上の本体２１及び抜止部材２６は、例えば、リテーナ２０を略２分割し、かつヒンジで連結された半体同士で構成してもよい。この態様では、単一の成形型により形成可能になったり、自身の組立を省略可能となる。
【００２０】
（操作機構体）図７は図１の操作機構体６を模式的に断面し、同（ａ）はスイッチユニットを保持するホルダーをプラグケース内に入れた状態で示し、同（ｂ）はスイッチユニットを保持したホルダー及び操作釦を釦ケースに入れた使用状態で示している。図８は操作機構体６の部材関係を示す概略的な構成図である。図９は釦ケースを示し、同（ａ）は上面図、同（ｂ）は半断面図である。図１０はスイッチユニットをホルダーに支持した状態及び釦ケース側との関係を示す模式図である。図１１はホルダーを模式的に示し、同（ａ）は概略外観図、同（ｂ）は上面図である。図１２は前記釦ケースとホルダーとの係合構造を示し、同（ａ）は図９のＢ−Ｂ線及び図１１のＣ−Ｃ線に対応した箇所での断面図、同（ｂ）は（ａ）のＤ部拡大図ある。
形態例の操作機構体６は、槽上側適位置の取付孔３ａに装着される釦ケース４０及びプラグケース４５と、釦ケース４０に組み込まれるホルダー５０及びスイッチユニット６０等を備え、釦ケース４０内に露出されている操作釦１４を押圧すると、該押圧力をスイッチユニット６０の作動により、排水機構体５の栓１２の開閉をワイヤ８及び昇降ユニット３０を介して切り換える。
【００２１】
ここで、釦ケース４０は、操作釦１４の上下動を許容し、スイッチユニット６０を支持するホルダー５０を貫通可能、かつ連結支持可能な略筒形からなる。形状は、図９のごとく筒体４１と、筒体４１の上側周囲に突出されたフランジ部４２と、開口４４付きの底面４３とで形成されている。筒体４１には、フランジ部４２側の補強部４１ａと、それよりも下側の雄ねじ４１ｂとが設けられている。補強部４１ａは、水槽側の取付孔３ａ内に配置される箇所である。雄ねじ４１ｂは、操作側プラグケース４５の雌ねじ４６ｂに対応している。底面（下端面側）４３には概略矩形状の開口４４が設けられている。この開口４４は、スイッチユニット６０を支持するホルダー５０側に対応した孔形状で、左右及び前後で孔径が異なっている。即ち、開口４４の形状は、ホルダー５０に対応した左右の長い孔径４４ａ部分及び前後の短い孔径４４ｂ部分とで構成されている。このため、底面（下端面側）４３は、図９（ａ）のごとく上から見ると、短い孔径４４ｂを形成している２箇所が半鍔状となっている。該両半鍔状の上面には、凸部４３ａが略中間に設けられている。この凸部４３ａは、図１２（ｂ）のごとく開口４４の縁部側が低く、筒体４１の内面に行くに従って少し高くなった傾斜片として形成されている。そして、以上の釦ケース４０では、ホルダー５０との位置関係により、ホルダー５０の全体を上下に挿通可能にし、又、ホルダー５０の一部を挿入した状態で所定角だけ回転（この例では略９０度回転）することにより前記両半鍔状の箇所がホルダー５０の取付部５６側に係合固定可能となっている。
【００２２】
プラグケース４５は、図８のごとく上下に貫通している筒形であり、上筒部４６と中筒部４７及び下筒部４８とからなる。上筒部４６は、釦ケース１４を入れる箇所であり、上周囲の突き当て用フランジ部４６ａと、内周の雌ねじ４６ｂとを形成している。そして、上筒部４６には、釦ケース４０が雄ねじ４１ｂと雌ねじ４６ｂの螺合を介し固定される。中筒部４７は、図７（ａ）のごとくスイッチユニット６０を支持したホルダー５０をほぼ収容可能な大きさの空洞を形成している。符号４６ｃは、上筒部４６及び中筒部４７の外周に突設された補強用リブである。下筒部４８は、連結管７の対応端に金具等を介し接続される箇所であり、ここから、スイッチユニット６０側に接続されてチューブ９で被覆されたワイヤ８（通常はこのワイヤ対応端に上記昇降ユニット３０が装着されている）が連結管７を通って排水機構体５側へ挿通される。
【００２３】
以上の釦ケース４０及びプラグケース４５には、スイッチユニット６０がホルダー５０を介して組み込まれる。このうち、スイッチユニット６０は、機構自体は公知であるため詳細を省いたが、スラストロック機構等と称されているものである。なお、この例では、図８及び図１０のごとくワイヤ８の対応端側（スイッチユニット６０内に沿って配置される部分）が下側に設けられたサポート６８を有し、該サポート６８より上側にインサートパイプを装着し、更に該インサートパイプの端末側に取付具６９を装着している。符号６９ａは該取付具６９の上端に設けられた軸である。そして、操作釦１４は、下側に設けられた装着穴１４ａを有し、該装着孔１４ａに取付具６９の軸６９ａが圧入等により結合される。
【００２４】
スイッチユニット６０は、下側のケース６１及び上側のカムケース６２がホルダー５０に支持される外形状を形成している。ケース６１は、下側で最大幅部を形成している本体６１ａと、本体６１ａの上側に突設されている筒部６１ｂとからなる。本体６１ａの前後面には、後述するホルダー５０の対応部と係脱する爪部６１ｃが設けられている（図１２（ａ）を参照）。筒部６１ｂはカムケース６２の内側に配置されている。筒部６１ｂ及びカムケース６２内には、上側に位置してカムケース６２に支持されているカムストッパー６３と、下側に位置してスプリング６６を外周に配置しているステー６４と、カムストッパー６３及びステー６４の間に配置されたカム６５等が設けられている。そして、ワイヤ対応部は、中心下側より上へ挿入され、本体６１ａ内にサポート６８を介し位置規制された状態で、ステー６４、カム６５、カムストッパー６３に挿通されて、前記取付具６９がカムストッパー６３内に収まり、軸６９ａがそのカムストッパー６３の端面の孔から突出されている。作動的には、操作釦１４が押圧されると、前記カム６５の軌跡に沿ってワイヤ８を可動し、該可動により排水機構体５の昇降ユニット２０を動作させて栓１２の開閉を切り換える。この作動切換は、操作釦１４が最初に押圧されて最下位置になったときに（例えば、「開栓位置」で）ロックされ、もう一回押圧されると、該ロックが解除されてスプリング６６のばね力で初期位置に戻される（例えば、「閉栓位置」）構成である。但し、スイッチユニット６０自体は、この形態以外のスラストロック機構でも差し支えない。
【００２５】
ホルダー５０は、図１１と図１２のごとく小ブロック状に形成された樹脂成形品である。形状的には、枠状の下ホルダー５１と、下ホルダー５１の対向側より上へ突設された上ホルダー５２とに大別される。下ホルダー５１は、前後壁５３が両側壁よりも少し長い枠状であり、上記釦ケース４０の底面開口４４に余裕を持って挿通される。前後壁５３には略中央部に係止穴５４が対向した状態に設けられている。そして、ホルダー５０は、係止穴５４に対しケース本体６１ａの爪部６１ｃを係合することでスイッチユニット６０を一体的に支持する。上ホルダー５２は、対向又は対称形の壁５５，５５からなり、上側に設けられた取付部５６を有している。該取付部５６は、各立壁５５の上外面に突出し、かつ、円弧状の外周に形成されたガイド溝５７と、ガイド溝５７を区画している上内面に設けられた凹部５８とを有している。
【００２６】
ここで、図１１及び図９（ａ）において、両立壁５５，５５の各取付部５６同士の間の最大寸法ｄ２は、釦ケース４０の開口４４との関係で、短い孔径４４ｂ同士の間の寸法より大きく、かつ、長い孔径４４ａ同士の寸法より小さく設定されている。従って、両取付部５６の各ガイド溝５７を区画している溝端面同士の間の最大寸法ｄ１は、短い孔径４４ｂ同士の間の寸法より小さなっている。又、ガイド溝５７の隙間寸法ｔ１は、釦ケース４０の開口４４を形成している底面（端面側）４３の厚さｔ２より若干大きい。これは、ホルダー５０が釦ケース４０に対し図９（ａ）の状態で、開口４４から全体を挿通できるようする。また、ホルダー５０がガイド溝５７を釦ケース４０の底面４３、つまり開口４４を区画している下端面にガイド溝５７を一致させた状態から、短い孔径４４ｂを形成している上記鍔状部分とガイド溝５７との嵌合を伴って相対的に回転されると、凹部５８が凸部４３ａに係合される。このため、この構造では、釦ケース４０にホルダー５をガイド溝５７の嵌合を伴って回転して凹部５８と凸部４３ａとの弾性係合を介して固定できる。なお、以上のホルダー５０は、スイッチユニット６０を支持できること、釦ケース４０に挿入されて底面４３の開口４４からプラグケース４５内へ挿入されること、釦ケース４０に対し回転操作により係合固定可能であればよく、使用するスイッチユニット及び釦ケースの開口に対応して設計される。凹部５８と凸部４３ａとは、爪部及び穴等のごとく互いに弾性係合可能な関係であればよく、又、凹部を釦ケース４０の端面側に設け、凸部をホルダー５０の取付部５６に設けるようにしてもよい。
【００２７】
（槽側への組込手順例）次に、以上の排水機構体５及び操作機構体６を水槽１に組み込む手順例を概説する。この作業では、操作機構体６を先に組み付けた後、排水機構体５を組み付ける例で説明し、その中で従来との相違及び有用性について言及する。このため、操作機構体６側を説明し、次に排水機構体５を述べる。なお、組込前工程において、ワイヤ８には昇降ユニット３０とスイッチユニット６０がワイヤ対応端に装着され、スイッチユニット６０には操作釦１４が必要時に装着され、スイッチユニット６０がホルダー５０に支持されているものとする。
【００２８】
（ア）、操作機構体６の組込作業では、図８のごとくワイヤ８等を配置して、釦ケース４０とプラグケース４５とを連結する。この作業では、釦ケース４０が取付孔３ａから挿入され、雄ねじ４１ｂを雌ねじ４６ｂに螺入してプラグケース４５に対し連結固定される。この場合、釦ケース側フランジ部４２ａが槽表面にシール材Ｓ３を介し当接されるようにしたり、プラグケース側フランジ部４６ａが槽裏面側にシール材Ｓ４を介し当接される。なお、シール材Ｓ３を省略することもある。
（イ）、次に、ホルダー５０をスイッチユニット６０と共に釦ケース４０に取り付ける。この作業では、スイッチユニット６０を支持しているホルダー５０が釦ケース４０の開口４４に対し位置決めされた状態、つまりホルダー５０の両側壁５５を開口４４の長い孔径４４ａに概略一致させてから、釦ケース４０内に上から下へ挿入される。すると、通常は、側壁５５の下端部分が開口４４の短い孔径４４ｂ部分に当たるので、ホルダー５０を若干回転して挿入する。そして、ホルダー５０が短い孔径４４ｂを形成している上記鍔状部分に対しガイド溝５７の対応端側開口を嵌合し、該嵌合状態で回転する。すると、ホルダー５０は、凹部５８と凸部４３ａとの係合を介し釦ケース４０に位置決め固定される。該係合状態では、図１２（ｂ）のごとく釦ケース４０の底面４３（短い孔径４４ｂ部分を形成している下端面部分）をガイド溝５７内に挟持しているため、ホルダー５０を釦ケース４０に対し安定かつ強固に連結可能にする。これで操作機構体６の水槽取付部側への組み込みが完了する。
（ウ）、以上のように、この構造では、スイッチユニット６０が釦ケース４０に対しホルダー５０を介し水平方向回転により簡単に係合固定される。このため、修理等では、操作釦１４をスイッチユニット６０から外し、上側に突出しているスイッチユニット６０を凹部５８と凸部４３ａとの係合力に抗して回転すると、前記係合が解除され、ホルダー５０をスイッチユニット６０と共に釦ケース４０より引き上げることが可能となる。
【００２９】
（エ）、以上は従来組込手順に従った例である。この発明では、従来構造で期待できない次のような組込手順を可能にしている。即ち、この構造では、例えば、図７（ａ）のごとく、プラグケース４５に対し釦ケース４０を取り付ける前にスイッチユニット６０を支持したホルダー５０をプラグケース内に収容しておき、該収容状態から、釦ケース４０を螺合操作によりプラグケース５０に連結する。そして、その後、スイッチユニット６０を支持したホルダー５０を釦ケース側開口４４から釦ケース４０の上へ少し持ち上げて、前記短い孔径４４ｂの鍔状部分とガイド溝５７との嵌合を伴って回転して凹部５８と凸部４３ａとの弾性係合を介して固定することである。この点は、例えば、昇降ユニット３０やスイッチユニット６０等が故障し交換する場合等に極めて便利なものとなり、従来品では期待できないメンテナンス性を実現できることを意味している。
【００３０】
（オ）、排水機構体５の組込作業では、排水口部材１１とプラグケース１５を水槽１に組み付ける。該作業では、排水口部材１１が排水口３に挿入された状態で、フランジ部１１ａが槽底面内側にシール材Ｓ１を介し排水口３を封止可能に当接され、雄ねじ１１ｂと雌ねじ１５ｂとの螺合によりプラグケース１５の管部１５Ａに連結操作される。その際は、昇降ユニット３０が管部１５Ｂ、管部１５Ａから排水口部材１１の上方へ挿入される。また、上方へ挿入された昇降ユニット３０には、栓１２が可動筒３２に対し可動筒側爪部３２ａと栓側連結脚１２ａとの係合を介し固定される。この昇降ユニット３０は、この栓１２の装着により、仮に下へ可動しても栓閉状態となるためそれ以上下へ移動されない。
（カ）、次に、昇降ユニット３０を排水口部材１１内にリテーナ２０を介して取り付ける。該作業では、図５（ａ）の想像線のごとく抜止部材２６がヒンジ（軸部２４ｂと軸孔２７ｂ）を介し拡開された状態から、本体開口部２４に昇降ユニット３０の筒部材３１を径方向より挿入した後、抜止部材２６をヒンジ（軸部２４ｂと軸孔２７ｂ）を介し開口部２４内に回動操作する。これにより、リテーナ２０は図４のごとく筒部材３１の全周を拘束する。該拘束状態では、筒部材３１が突状部３５と溝部２３との係合を介し径方向及び上下方向への可動が不能となる。
（キ）、以上の拘束状態から、昇降ユニット３０は、排水口部材１１内にリテーナ２０と共に上から下へ挿入されると、各弾性係止片２５が被係合部１１ｃと当たるので、更に強く押圧する。この押圧により、各弾性係止片２５は、被係合部１１ｃを弾性的に乗り越え、かつ、通過と同時に初期形状に復元して被係合部１１ｃに係合固定される。これにより、水槽１の排水口３に対する排水機構体５の組み込みが完了する。この構造では、リテーナ２０が排水口部材１１の内面に拘束されるため、昇降ユニット３０に対する固定力も確実に保たれ、該固定力が経年変化に影響されることなく長期に維持される。また、この構造では、リテーナ２０が排水口部材１１に対し弾性係止片２５を介しワンタッチで係合固定される。この弾性係止片２５は、その自由端側が排水口部材１１内に位置し、かつ、該自由端が上向きに突出している。このため、修理等では、栓１２を昇降ユニット３０から外し両側の自由端を近づけると、前記係合が解除され、リテーナ２０を昇降ユニット３０と共に排水口部材１１より引き上げ可能となる。これらは、上記ホルダー５０の回転連結構成と同様にメンテナンス性に優れている点である。
【００３１】
（ク）、加えて、この構造では、修理等において次のような操作を実現できる。ここでは昇降ユニット３０の修理例で説明する。該修理では、前述のごとくリテーナ２０を昇降ユニット３０と共に排水口部材１１より引き上げ、昇降ユニット３０を修理操作する。この作業では、ワイヤ８が長さ的に多少余裕を持って連結管７内に配置されているが、排水機構部５だけでは昇降ユニット３０を修理できず、操作機構体６のプラグケース４５から釦ケース４０を外し、ワイヤ８を排水口部材１１よりある程度多く引き出さなくてはならず作業工数増の要因となっていた。しかし、以上の構造では、上述したごとく釦ケース４０をプラグケース５０から外すことなく、スイッチユニット６０を支持したホルダー５０を釦ケース４０に回転して凹部５８と凸部４３ａとの係合を解除し、全体を釦ケースの開口４４からプラグケース５０内に収容する。すると、ワイヤ８は、スイッチユニット６０又はホルダー５０のプラグケース側への落ち込み寸法に比例して、排水口部材１１より長く引き出すことができる。このため、以上の構造では、従来よりも修理や保守等を数段迅速かつ簡易に行うことができる。
【００３２】
なお、以上の形態は本発明を何ら制約するものではない。本発明は請求項１の要件を満たす範囲で種々変形可能なものである。また、各請求項の「釦ケース」は、水槽に対し上下に配置される態様と横向きに配置される態様とを含む。請求項３の「上向きに配置される弾性係止片」とは釦ケースの入口側の意味である。
【００３３】
【発明の効果】
以上説明したとおり、本発明に係る排水栓装置は、遠隔操作式において、釦ケースに対するスイッチユニットの着脱性、排水口部材に対する昇降ユニットの着脱性、槽への組込操作性及び保守や修理等のメンテナンス性並びに解体性等が従来構造よりも数段に優れ、又、各機構部の安定かつ強固な支持も実現できる。これにより、本発明は遠隔操作式装置の普及とユーザーへの信頼性を向上できる。
【図面の簡単な説明】
【図１】本発明装置の水槽への適用例を模式的に示す配置図である。
【図２】図１の排水機構体側を示す説明図である。
【図３】図２の排水機構体側の部材関係を示す構成図である。
【図４】上記排水機構体の昇降ユニットの関連部を示す図である。
【図５】図４のリテーナの構成図である。
【図６】図４のリテーナの概略外観斜視である。
【図７】図１の操作機構体側を示す説明図である。
【図８】図７の操作機構体側の部材関係を示す構成図である。
【図９】図８の釦ケースの構成図である。
【図１０】上記スイッチユニットをホルダーに保持した概略外観図である。
【図１１】上記ホルダーを示す構成図である。
【図１２】上記釦ケースとホルダーとの関係を示す要部断面図である。
【図１３】従来排水栓装置の基本構成例を示す参考図である。
【符号の説明】
１…水槽（２は槽底面、３は排水口、３ａは取付孔、４は槽上面）
５…排水機構体（１２は栓）
６…操作機構体（１４は操作釦）
７…連結管（８はレリースワイヤ、９はチューブ）
１０…排水栓装置
１１…排水口部材（１１ｃは被係合部）
１５…プラグケース
２０…リテーナ
２５…弾性係止片（２５ａは爪部）
３０…昇降ユニット（リフト機構）
４０…釦ケース（４３は底面、４４は開口、４３ａは凸部）
４４ａ…長い孔径
４４ｂ…短い孔径
４５…プラグケース
５０…ホルダー
５６…取付部（５７はガイド溝、５８は凹部）
６０…スイッチユニット（スラストロック機構、６１はケース）
【図１】
2004316161.tif 000003
【図２】
2004316161.tif 000004
【図３】
2004316161.tif 000005
【図４】
2004316161.tif 000006
【図５】
2004316161.tif 000007
【図６】
2004316161.tif 000008
【図７】
2004316161.tif 000009
【図８】
2004316161.tif 000010
【図９】
2004316161.tif 000011
【図１０】
2004316161.tif 000012
【図１１】
2004316161.tif 000013
【図１２】
2004316161.tif 000014
【図１３】
2004316161.tif 000015